【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
荷物のロケーションを識別するステップと、
前記の識別されたロケーションに関連付けられたデータ収集に関する少なくとも二つの組のロケーションベースの制限を識別するステップと、
前記少なくとも二つの組のロケーションベースの制限のうち、優先される組を判定するステップと、
前記優先される組のロケーションベースの制限に違反するセンサーデータを受信するステップと、
前記センサーデータを削除又は難読化することによって前記センサーデータへのアクセスを選択的に制限するステップと、
を含む動作を一つ以上のプロセッサによって実行される情報収集方法。
【請求項２】
前記データへのアクセスを制限するステップが、
前記荷物の内部又は近接内に位置するセンサーによる前記センサーデータの収集を防止するステップをさらに含む、請求項１に記載の方法。
【請求項３】
前記荷物が運搬中であり、運搬中の荷物のロケーションが、前記優先される組のロケーションベースの制限を要求する規制管轄内にある、請求項１に記載の方法。
【請求項４】
前記優先される組のロケーションベースの制限が、前記荷物の配達に関連付けられた関係者によって要求される、請求項１に記載の方法。
【請求項５】
前記荷物の内部又は近接内に位置するセンサーのプロファイルであって、前記センサーが収集できるデータを示す、プロファイルを識別するステップをさらに含む、請求項１に記載の方法。
【請求項６】
前記センサーのプロファイル及び前記荷物に関連付けられたロケーションを使用して、二つ以上の組のロケーションベースの制限を識別するステップと、
前記の二つ以上の識別された組から、優先される前記組のロケーションベースの制限を判定するステップと、
をさらに含む、請求項５に記載の方法。
【請求項７】
配達経路候補の一つ以上のロケーションベースの制限に従って、前記荷物の配達経路を判定するステップをさらに含み、前記の判定された配達経路の前記一つ以上のロケーションベースの制限が、前記荷物の配達中に前記のセンサーの収集が許可されるデータの量を最大にする、請求項１に記載の方法。
【請求項８】
センサー収集可能データが環境データである、請求項１に記載の方法。
【請求項９】
プログラム命令を記憶するコンピュータ読み取り可能な媒体であって、少なくとも一つのプロセッサが実行すると、前記少なくとも一つのプロセッサに、
荷物のロケーションを識別するステップと、
前記一つ以上のロケーションベースの制限に従って、前記荷物に関連付けられたセンサー収集可能データへのアクセスを選択的に制限するステップと、
前記の識別されたロケーションに関連付けられたデータ収集に関する少なくとも二つの組のロケーションベースの制限を識別するステップと、
前記少なくとも二つの組のロケーションベースの制限のうち、優先される組を判定するステップと、
前記優先される組のロケーションベースの制限に違反するセンサーデータを受信するステップと、
前記センサーデータを削除又は難読化することによって前記センサーデータへのアクセスを選択的に制限するステップと、
を含む、情報収集方法を実行させる、持続的なコンピュータ読み取り可能な媒体。
【請求項１０】
前記データへのアクセスを制限するステップは、
前記荷物の内部又は近接内に位置するセンサーによる前記センサーデータの収集を防止するステップをさらに含む、請求項９に記載の持続的なコンピュータ読み取り可能な媒体。
【請求項１１】
前記荷物が運搬中であり、前記運搬中の荷物の前記ロケーションが、前記優先される組のロケーションベースの制限を要求する規制管轄内にある、請求項９に記載の持続的なコンピュータ読み取り可能な媒体。
【請求項１２】
データ収集ルールは、前記荷物の配達に関連付けられた関係者によって要求される、請求項９に記載の持続的なコンピュータ読み取り可能な媒体。
【請求項１３】
前記方法が、
前記荷物の内部又は近接内に位置するセンサーのプロファイルであって、センサーが収集できる環境データを示す、前記プロファイルを識別するステップをさらに含む、請求項９に記載の持続的なコンピュータ読み取り可能な媒体。
【請求項１４】
前記方法が、
前記センサーのプロファイル及び前記荷物に関連付けられたロケーションを使用して、二つ以上の組のロケーションベースの制限を識別するステップと、
前記の二つ以上の識別された組から、優先される前記組のロケーションベースの制限を判定するステップと、
をさらに含む、請求項１３に記載の持続的なコンピュータ読み取り可能な媒体。
【請求項１５】
前記方法が、
配達経路候補の一つ以上のロケーションベースの制限に従って、前記荷物の配達経路を判定するステップをさらに含み、前記の判定された配達経路の前記一つ以上のロケーションベースの制限が、前記荷物の配達中に前記のセンサーの収集が許可されるデータの量を最大にする、請求項９に記載の持続的なコンピュータ読み取り可能な媒体。
【請求項１６】
前記センサー収集可能データが環境データである、請求項９に記載の持続的なコンピュータ読み取り可能な媒体。
【請求項１７】
荷物のロケーションに関する情報を受信し、
前記の受信されたロケーション情報を使用して、データ収集に関する少なくとも二つの組のロケーションベースの制限を参照し、
前記少なくとも二つの組のロケーションベースの制限のうち、優先される組を判定し、
前記優先される組のロケーションベースの制限に従って、センサー収集可能データを収集するようにセンサーに命令し、
前記センサーから前記優先される組のロケーションベースの制限に違反するセンサーデータを受信し、
前記センサーデータを削除又は難読化することによって前記センサーデータへのアクセスを選択的に制限するように構成された情報配信装置を備える情報収集システム。
【請求項１８】
前記荷物の内部又は近接内に位置するセンサーであって、
前記荷物に関連付けられた前記ロケーション情報を収集し、
前記ロケーション情報をネットワークを介して前記情報配信装置へ送信し、
前記優先される組のロケーションベースの制限に従って、前記センサー収集可能データを収集し、
前記優先される組のロケーションベースの制限に違反する前記のセンサーデータを削除又は難読化するために前記情報配信装置へ送信するように構成されるセンサーをさらに備える、請求項１７に記載の情報収集システム。
【請求項１９】
前記センサーが、
前記優先される組のロケーションベースの制限に違反するセンサーデータの収集を防止することと、
収集後に、前記優先される組のロケーションベースの制限に違反するセンサーデータを削除することと、
収集後に、前記優先される組のロケーションベースの制限に違反するセンサーデータを難読化することのうちの少なくとも一つによる前記優先される組のロケーションベースの制限に従って、前記センサー収集可能データを収集するように構成される、請求項１８に記載の情報収集システム。
【請求項２０】
前記荷物が運搬中であり、前記運搬中の荷物の前記ロケーションが、前記優先される組のロケーションベースの制限を要求する規制管轄内にある、請求項１８に記載の情報収集システム。
【請求項２１】
前記優先される組のロケーションベースの制限が、前記荷物の配達に関連付けられた関係者によって要求される、請求項１７に記載の情報収集システム。
【請求項２２】
前記情報配信装置が、
センサーのプロファイルであって、前記センサーが収集できるデータを示す前記プロファイルを識別し、
前記センサーのプロファイル及び前記荷物に関連付けられたロケーションを使用して、二つ以上の組のロケーションベースの制限を識別し、
前記の二つ以上の識別された組から、優先される前記組のロケーションベースの制限を判定するようにさらに構成される、請求項１７に記載の情報収集システム。
【請求項２３】
前記情報配信装置が、
配達経路候補の一つ以上のロケーションベースの制限に従って、前記荷物の配達経路を判定するようにさらに構成され、前記判定された配達経路の前記一つ以上のロケーションベースの制限が、前記荷物の配達中に前記センサーの収集が許可されるデータの量を最大にする、請求項１７に記載の情報収集システム。
【請求項２４】
荷物のロケーションを識別し、
前記の識別されたロケーションに関連付けられたデータ収集に関する少なくとも二つの組のロケーションベースの制限を識別し、
前記少なくとも二つの組のロケーションベースの制限のうち、優先される組を判定し、
前記優先される組のロケーションベースの制限に従って、センサー収集可能データを収集し、
前記センサー収集可能データからのセンサーデータが前記優先される組のロケーションベースの制限に違反するか否か判定し、
前記センサーデータを削除又は難読化することによって前記センサーデータへのアクセスを選択的に制限するように構成される検出部を備え、荷物の内部又は近接に位置するセンサー。
【請求項２５】
前記検出部が、
前記優先される組のロケーションベースの制限に違反するセンサーデータの収集を防止することと、
前記優先される組のロケーションベースの制限に違反する前記のセンサーデータを削除又は難読化のために情報配信装置へ送信することのうちの少なくとも一つによる前記優先される組のロケーションベースの制限に従って、前記センサー収集可能データを収集するように構成される、請求項２４に記載のセンサー。
【請求項２６】
前記荷物が運搬中であり、前記運搬中の荷物の前記ロケーションが、前記優先される組のロケーションベースの制限を要求する規制管轄内にある、請求項２４に記載のセンサー。
【請求項２７】
情報配信装置から前記優先される組のロケーションベースの制限をダウンロードするように構成されたプロセッサと、
前記のダウンロードされた優先される組のロケーションベースの制限を記憶するためのメモリと、
をさらに備える、請求項２４に記載のセンサー。